(57)【要約】【課題】  ロータリスイッチの操作性を確保しながらも、ロータリスイッチを保護して破損又は基板からの剥離を防止できる遊技機用基板ケースを提供する。【解決手段】  基板２００を保護するための遊技機用基板ケース１００に、基板２００に取り付けられたロータリスイッチ２１０の上方を覆ってロータリスイッチ２１０を保護するためのロータリスイッチ保護部１２１を備え、ロータリスイッチ保護部１２１の側方につまみ操作用開口部１２１ｃを設けてロータリスイッチ２１０のつまみ部分２１１の側面を露出させ、つまみ部分２１１を指等で操作できるようにした。【選択図】図３
2017038745.tif 000002
【特許請求の範囲】
【請求項１】
遊技機筺体の内部に収容される基板を保護するための遊技機用基板ケースであって、
基板に取り付けられたロータリスイッチの上方を覆ってロータリスイッチを保護するためのロータリスイッチ保護部を有し、
ロータリスイッチ保護部の側方にロータリスイッチのつまみ部分を操作するためのつまみ操作用開口部を設けたことを特徴とする遊技機用基板ケース。
【請求項２】
つまみ操作用開口部が、ロータリスイッチ保護部の側方両側に設けられた請求項１記載の遊技機用基板ケース。
【請求項３】
ロータリスイッチ保護部の幅Ｗ１が、前記つまみ部分の直径φ１に略等しい請求項２記載の遊技機用基板ケース。
【請求項４】
ロータリスイッチ保護部が、基板ケースの本体部とは別体で形成され、基板ケースにおける前記つまみ部分に重なる位置に設けられた保護部装着用開口部に対して装着できるようにした請求項１〜３いずれか１つに記載の遊技機用基板ケース。
【請求項５】
つまみ操作用開口部の端面が、内向きの傾斜形状である１〜４いずれか１つに記載の遊技機用基板ケース。
【請求項６】
請求項１〜５いずれか１つに記載の遊技機用基板ケースを用いたことを特徴とする遊技機。
【発明の詳細な説明】
【技術分野】
【０００１】
本発明は、遊技機の電子基板を保護するための遊技機用基板ケースと、当該遊技機用基板ケースを用いた遊技機とに関する。
【背景技術】
【０００２】
回胴式遊技機やパチンコ遊技機等の遊技機の筺体には、メイン制御基板やサブ制御基板等の各種の電子基板が収容されている。これらの電子基板や、それに取り付けられたＲＯＭ等が偽造品へ交換されてしまうと、例えば、遊技機に特定の操作を行うことで一般の遊技者（当該特定の操作を知らない遊技者）よりも有利な条件で遊技が進行するように遊技機を改造することが可能になる等、悪意のある遊技者（当該特定の操作を知っている遊技者）に不正遊技を許す虞がある。このため、遊技機の各メーカーは、メイン制御基板を始めとする各種の電子基板をケース（基板ケース）の内部に格納して、その電子基板に不正アクセスしにくくする対策を行っている。
【０００３】
一方で、基板ケースに格納される電子基板には、各種設定のためのロータリスイッチが設けられることがある。例えば、特許文献１には、遊技機の遊技仕様を変更するためのロータリスイッチが電源基板（電源部）に設けられた遊技機が記載されている。従来の遊技機においては、この種のロータリスイッチを基板ケースの外部からでも調節できるようにするため、基板ケースにおける当該ロータリスイッチに重なる位置に設けた開口部から当該ロータリスイッチのつまみ部分全体を露出させるという構造が採用されている。
【０００４】
しかし、そのような構造を有する従来の遊技機においては、遊技機筺体内の清掃、メダルホッパーへのメダル補給又はエラー解除等の作業を行う際、作業員の身体や工具が突出したつまみ部分に誤ってぶつかること等により、ロータリスイッチが破損し又は基板から剥離しやすいという欠点があった。特に、メダル補給やエラー解除の作業は、遊技機の前に遊技者が着席したままの状態で行うことが多く、前扉を半開きにして作業を行う必要があるため、手元が狭く、作業中にロータリスイッチの破損や基板からの剥離が起こりやすいことが問題となっていた。このような問題は、とりわけ、ロータリスイッチが電子基板に対してはんだ付けしただけの状態で設けられている場合に生じやすくなる。
【先行技術文献】
【特許文献】
【０００５】
【特許文献１】特開２００７−１０５３３４号公報  （第４図）
【発明の概要】
【発明が解決しようとする課題】
【０００６】
本発明は、上記課題を解決するために為されたものであり、ロータリスイッチの操作性を確保しながらも、ロータリスイッチの破損又は基板からの剥離を防止できる保護機能を備えた遊技機用基板ケースを提供するものである。また、この遊技機用基板ケースに電子基板を収容した遊技機を提供することも本発明の目的である。
【課題を解決するための手段】
【０００７】
上記課題は、
遊技機筺体の内部に収容される基板を保護するための遊技機用基板ケースであって、
基板に取り付けられたロータリスイッチの上方を覆ってロータリスイッチを保護するためのロータリスイッチ保護部を有し、
ロータリスイッチ保護部の側方にロータリスイッチのつまみ部分を操作するためのつまみ操作用開口部を設けたことを特徴とする遊技機用基板ケース
を提供することによって解決される。
【０００８】
かかる構成にあっては、ロータリスイッチの上方を覆ったことにより、外力から保護する必要が最も高いつまみ部分の上端を含めて、ロータリスイッチを保護することができる。前記つまみ部分は、操作性を確保するためにある程度長さのある形状となっているが、この部分に横方向の外力がかかると、梃の原理が働き、ロータリスイッチ基部（基板への取り付け部分）に大きな力がかかりやすい。このロータリスイッチ基部へかかる力は、つまみ部分の上端に横方向の外力がかかった際に最も大きくなってしまうところ、本発明ではつまみ部分の上端も含めて保護することにより、ロータリスイッチの破損又は基板からの剥離を効果的に防止することができる。また、つまみ操作用開口部を通じてつまみ部分の側面が露出しているため、通常の操作箇所であるつまみ部分側面に直接接触することができ、高い操作性を実現することも可能になる。
【０００９】
本発明の遊技機用基板ケースにおいては、つまみ操作用開口部を、ロータリスイッチ保護部の側方両側に設けることもできる。かかる構成にあっては、前記つまみ部分を両側から挟むようにして操作することが可能となり、操作性を向上させることができる。
【００１０】
本発明の遊技機用基板ケースにおいて、上述したように、つまみ操作用開口部をロータリスイッチ保護部の側方両側に設ける場合には、ロータリスイッチ保護部の幅Ｗ１（図７を参照）を、つまみ部分の直径φ１（図７を参照）と略等しくすると好ましい。というのも、ロータリスイッチ保護部の幅Ｗ１がつまみ部分の直径φ１よりも著しく小さい場合には、つまみ部分のはみ出し幅Ｗ２（図７を参照）が大きくなることによりロータリスイッチを十分に保護しきれなくなる虞があり、これとは逆に幅Ｗ１が直径φ１よりも著しく大きい場合には、つまみ部分に接触し辛くなり操作性を損なう可能性があるところ、かかる構成によりロータリスイッチ保護機能と操作性とを好適なバランスで両立させることが可能になるからである。
【００１１】
本発明の遊技機用基板ケースにおいては、ロータリスイッチ保護部を、基板ケースの本体部と別体で形成し、基板ケースにおけるロータリスイッチのつまみ部分に重なる位置に設けられた保護部装着用開口部に対して装着できるようにすることもできる。かかる構成にあっては、基板ケースの設置箇所あるいは周辺のレイアウト等に変更があった場合であっても、基板ケース本体部には改変を加えることなく、好適な大きさ又は形状のロータリスイッチ保護部を選択して装着することが可能になる。
【００１２】
本発明の遊技機用基板ケースにおいては、つまみ操作用開口部の端面を、内向きの傾斜形状とすることもできる。換言すると、ロータリスイッチ保護部の内幅Ｗ３（図７を参照）が、ロータリスイッチ保護部の幅Ｗ１（図７を参照）よりも小さくなるようにつまみ操作用開口部の端面を傾斜させることもできる。かかる構成にあっては、つまみ部分のはみ出し幅Ｗ２（図７を参照）を小さく保ったまま、つまみ部分への接触を容易にすることができ、操作性を向上させることが可能になる。
【００１３】
以上で述べた本発明の遊技機用基板ケースは、回胴式遊技機やパチンコ遊技機等の各種遊技機における保護対象部品を保護するものとして、好適に採用することができる。
【図面の簡単な説明】
【００１４】
【図１】回胴式遊技機を示した正面図である。
【図２】前扉を開いた状態の回胴式遊技機を示した斜視図である。
【図３】第一実施態様の遊技機用基板ケースを示した斜視図である。
【図４】第一実施態様の遊技機用基板ケースを分解した状態を示した斜視図である。
【図５】第一実施態様の遊技機用基板ケースにおける保護キャップと、ロータリスイッチとを拡大してそれらの位置関係を示した斜視図である。
【図６】第一実施態様の遊技機用基板ケースにおける保護キャップと、ロータリスイッチとの三面投影図である。
【図７】第一実施態様の遊技機用基板ケースにおける保護キャップと、ロータリスイッチとを図６（ｃ）におけるＡ−Ａ面で切断した断面図である。
【図８】第一実施態様の遊技機用基板ケースにおけるロータリスイッチ保護部の周辺を図６（ａ）におけるＢ−Ｂ面に相当する平面で切断した断面図である。
【図９】第二実施態様の遊技機用基板ケースを分解した状態を示した斜視図である。
【発明を実施するための形態】
【００１５】
本発明の遊技機用基板ケースについて、図面を用いてより具体的に説明する。以下においては、説明の便宜上、本発明の遊技機用基板ケースを回胴式遊技機において採用する場合を例に挙げて説明する。以下で述べた構成は、当該構成がパチンコ遊技機等の他の遊技機において採用できないことが自明でない限り、当該他の遊技機においても採用することができる。
【００１６】
また、以下においては、説明の便宜上、ロータリスイッチ基部からつまみ部分の先端へ向かう方向（ｚ軸方向正側）を「上」とし、その逆を「下」として説明を記述する。これら「上」や「下」等、方向を表す語句は、特に断りのない限り、各部の相対的な位置関係を表すために便宜的に用いたものであり、ロータリスイッチ保護部及びこれを備えた遊技機用基板ケースを使用する向きを限定するものではない。
【００１７】
１．回胴式遊技機
図１は、回胴式遊技機１０を示した正面図である。回胴式遊技機１０は、図１に示すように、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００１８】
回胴式遊技機１０では、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ａの有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、筺体内のホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００１９】
図２は、前扉１０ｂを開いた状態の回胴式遊技機１０を示した斜視図である。回胴式遊技機１０の筺体内には、図２に示すように、メイン制御基板ユニット３０、サブ制御基板ユニット３１、液晶ユニット３２、電源ユニット３３、コネクタユニット３４、リールユニット３５及びホッパーユニット３６等の各種機器が納められている。メイン制御基板ユニット３０は、役抽選や入賞判定等、遊技における基本的な制御を行うメイン制御基板（電子基板）が格納されたユニットである。サブ制御基板ユニット３１は、発光ランプや音声による演出等、遊技における演出に関する制御を行うサブ制御基板（電子基板）が格納されたユニットである。液晶ユニット３２は、液晶ディスプレイ１６（図１を参照）に表示される映像による演出に関する制御を行う映像基板（電子基板）が格納されたユニットである。電源ユニット３３は、回胴式遊技機１０における各機器に電力を供給する電源基板（電子基板）が格納されたユニットである。コネクタユニット３４は、特定の機器に接続されたケーブルを仲介する中継基板（電子基板）が格納されたユニットである。リールユニット３５は、リール１３，１４，１５の回転をそれぞれ独立して制御するリール制御基板（電子基板）を備えたユニットである。ホッパーユニット３６は、メダル投入口１１（図１を参照）に投入されたメダルを回収するとともに、制御基板ユニット３０からの信号に基づいてメダル払出口１２（図１を参照）へメダルを送出する制御を行うホッパー制御基板（電子基板）を備えたユニットである。
【００２０】
このように、回胴式遊技機１０の筺体内には、メイン制御基板、サブ制御基板、映像基板、電源基板、中継基板、リール制御基板又はホッパー制御基板等、各種の電子基板が格納されているが、これらの電子基板は、いずれも不正アクセスの対象となり得る。このため、メイン制御基板ユニット３０、サブ制御基板ユニット３１、液晶ユニット３２、電源ユニット３３、コネクタユニット３４等の各ユニットは、それに格納される電子基板を基板ケースで覆って封止した構造とする必要がある。また、電子基板には各種設定のためのロータリスイッチが設けられることがあるが、これらのロータリスイッチは基板ケースの外部からでも容易に操作できるようにしておく必要がある。本発明の遊技機用基板ケースは、これらのユニットにおいて好適に採用できるものとなっている。
【００２１】
以下においては、便宜上、コネクタユニット３４において中継基板を保護するために採用した場合を例に挙げて、本発明の遊技機用基板ケースを説明する。中継基板には、音量調節や節電モード切り替え等のためのロータリスイッチが設けられることがある。ただし、そこで述べた構成は、コネクタユニット３４で採用した場合に限定されず、他のユニットでも採用することができる。
【００２２】
２．遊技機用基板ケース
２．１  第一実施態様の遊技機用基板ケース
図３は、第一実施態様の遊技機用基板ケース１００を示した斜視図である。図４は、第一実施態様の遊技機用基板ケース１００を分解した状態を示した斜視図である。本実施態様の遊技機用基板ケース１００は、図３及び図４に示すように、基板ケース本体部１１０と、基板ケース本体部１１０とは別体で形成された保護キャップ１２０とで構成されている。基板ケース本体部１１０は、保護対象部品（本実施態様の遊技機用基板ケース１００では、図３及び図４における中継基板２００）の上面（ｚ軸方向正側）を覆って保護する上側ケース１１１と、下面を覆う下側ケース１１２とで構成される。第一実施態様の遊技機用基板ケース１００において、保護キャップ１２０には、ロータリスイッチ保護部１２１が設けられている。保護キャップ１２０は、図４に示すように、基板ケース本体部１１０に備えられた保護部装着用開口部１３０に対して装着できるようになっている。
【００２３】
本実施態様の遊技機用基板ケース１００を構成する、上側ケース１１１、下側ケース１１２及び保護キャップ１２０の素材は、特に限定されないが、通常、透光性（透明を含む）を有する材料（例えばポリカーボネート、アクリル又はＰＥＴ樹脂等の透明樹脂）とされる。これにより、万が一、不正アクセスによって中継基板２００が改造され又は偽造品へ交換された場合にも、その箇所を遊技機用基板ケース１００の外部から視認することが可能になるだけでなく、ロータリスイッチ基部２１２（図５を参照）に表されることの多い調節用目盛２１３の視認性を高めることもできる。
【００２４】
２．１．１  基板ケース本体部
基板ケース本体部１１０を構成する上側ケース１１１及び下側ケース１１２は、図３及び図４に示すように、中継基板２００を覆うための部材となっている。上側ケース１１１及び下側ケース１１２の形態は、中継基板２００を不正アクセスから保護することができ、かつ後述の保護キャップ１２０を装着することが可能であれば、特に限定されるものではないが、第一実施態様の遊技機用基板ケース１００においては、中継基板２００を覆うことができる大きさの薄い矩形型で、中継基板２００に取り付けられた部材と干渉しないように膨出部が設けられるとともに、中継基板２００に各種ケーブルを接続するためのコネクタを露出させる開口部を備えたものとなっている。保護キャップ１２０を装着するための保護部装着用開口部１３０は、基板ケース本体部１１０において、中継基板２００に取り付けられたロータリスイッチ２１０に重なる箇所であれば、上側ケース１１１又は下側ケース１１２のどちらに設けても良いが、本実施形態においては、上側ケース１１１に設けられている。保護部装着用開口部１３０は、基板ケース本体部１１０において、一箇所だけ設けても良いが、複数箇所設けることもできる。複数箇所設けた場合においては、少なくとも一箇所の保護部装着用開口部１３０に保護キャップ１２０を取り付ければ良い。
【００２５】
２．１．２  保護キャップ
図５は、第一実施態様の遊技機用基板ケース１００における保護キャップ１２０と、ロータリスイッチ２１０とを拡大してそれらの位置関係を示した斜視図である。図６は、第一実施態様の遊技機用基板ケース１００における保護キャップ１２０と、ロータリスイッチ２１０との三面投影図である。保護キャップ１２０は、図５及び図６に示すように、ロータリスイッチ２１０を保護するためのロータリスイッチ保護部１２１と、基板ケース本体部１１０における保護部装着用開口部１３０に嵌め込むことで、保護キャップ１２０を基板ケース本体部１１０に固定するための取り付け基部１２２とを備えている。ここで、ロータリスイッチ保護部１２１とは、保護キャップ１２０を基板ケース本体部１１０に装着した際に基板ケース本体部１１０の外面から外方に露出する部分のことを云い（図８を参照）、取り付け基部１２２とは、保護キャップ１２０を基板ケース本体部１１０の保護部装着用開口部１３０に装着した際に、基板ケース本体部１１０に埋め込まれて露出しない部分のことを云う。ロータリスイッチ保護部１２１の側方には、ロータリスイッチ２１０のつまみ部分２１１を操作するためのつまみ操作用開口部１２１ｃが設けられている。
【００２６】
ロータリスイッチ保護部１２１は、ロータリスイッチ２１０の上方を覆って保護することができ、かつつまみ操作用開口部１２１ｃを少なくとも一箇所に有するものであれば、その形状を特に限定されないが、第一実施態様の遊技機用基板ケース１００においては、図５及び図６に示すように、その両側における対向する箇所に一対のつまみ操作用開口部１２１ｃを有する形態を成している。このため、ロータリスイッチ保護部１２１は、ロータリスイッチ２１０の上方を保護するための上方保護部１２１ａと、側方を覆って保護するための側方保護部１２１ｂとが帯状に連結した形態となっている。これにより、つまみ部分２１１を指等で両側から挟んで操作することが可能になり、より高い操作性を実現することができる。
【００２７】
また、第一実施態様の遊技機用基板ケース１００においては、図６（ｃ）に示すように、ロータリスイッチ保護部１２１とロータリスイッチ２１０のつまみ部分２１１との間に間隙が設けられており、ロータリスイッチ保護部１２１がつまみ部分２１１に直接接触しないようになっている。これにより、ロータリスイッチ保護部１２１に外力がかかった場合であっても、その外力がつまみ部分２１１に伝わることを防止することができる。
【００２８】
ここで、側方保護部１２１ｂは、つまみ部分２１１の側面に平行に形成しても良いが、図６（ｃ）に示すように、末広がり状に傾斜させると好ましい。これにより、ロータリスイッチ保護部１２１に対して横方向にかかる外力を分散させることができ、より高いロータリスイッチ保護機能を備えることができる。また、作業時に手等が引っかかることを防止することも可能になる。上方保護部１２１ａと側方保護部１２１ｂとが成す角部については、尖った状態としても良いが、滑らかな曲面とすると好ましい。これにより、上記の引っかかり等をより好適に防止することができる。
【００２９】
ロータリスイッチ保護部１２１の側縁１２１ｄ（図６（ａ）を参照）の形状は、直線状としても良いが、傾斜、膨出、湾曲、くびれ等を含む形状としても良い。例えば、第一実施態様の遊技機用基板ケース１００において、ロータリスイッチ保護部１２１の側縁１２１ｄは、図６（ａ）に示すように、つまみ部分２１１の上面に重なる部分において、円弧状に膨出している。これにより、つまみ部分２１１の上端をより強固に保護することができるだけでなく、つまみ部分２１１がある箇所をロータリスイッチ保護部１２１の外側からでも認識できるようにし、手探りでロータリスイッチ２１０を操作しようとする場合につまみ部分２１１を探り当てやすくすることもできる。また、第一実施態様の遊技機用基板ケース１００において、ロータリスイッチ保護部１２１の側縁１２１ｄは、図６（ｂ）に示すように、取り付け基部１２２付近において外側に傾斜しており、その結果ロータリスイッチ保護部１２１の根元部分が幅方向に太くなっている。これにより、ロータリスイッチ保護部１２１自体の強度を高めることができる。
【００３０】
図７は、第一実施態様の遊技機用基板ケース１００における保護キャップ１２０と、ロータリスイッチ２１０とを図６（ｃ）におけるＡ−Ａ面で切断した断面図である。ここで、Ａ−Ａ面は、ロータリスイッチ２１０のつまみ部分２１１の上端面を含む面である。図７に示されるロータリスイッチ保護部の幅Ｗ１は、その大きさを特に限定されない。しかし、幅Ｗ１をロータリスイッチ２１０のつまみ部分２１１の直径φ１よりも著しく小さくしてしまうと、つまみ部分２１１のはみ出し幅Ｗ２が大きくなってしまい、ロータリスイッチ２１０を十分に保護しきれない虞がある。このため、直径φ１と幅Ｗ１との差φ１−Ｗ１の値は、好ましくは１ｍｍ以下、より好ましくは０．５ｍｍ以下とされる。一方、幅Ｗ１を直径φ１よりも著しく大きくしてしまうと、つまみ操作用開口部１２１ｃを通じてつまみ部分２１１へ接触することがし辛くなってしまう可能性がある。このため、幅Ｗ１と直径φ１との差Ｗ１−φ１の値は、好ましくは１ｍｍ以下、より好ましくは０．５ｍｍ以下とされる。
【００３１】
つまみ操作用開口部１２１ｃは、これを通じてロータリスイッチ２１０のつまみ部分２１１を操作できるのであれば、その形状及び大きさを特に限定されるものではないが、指先等によるつまみ部分２１１の操作を容易にするため、図６（ｃ）に示すように、保護キャップ１２０をつまみ操作用開口部１２１ｃに向かう側から横方向に見た時に、つまみ部分２１１における少なくとも上部全体が、つまみ操作用開口部１２１ｃを通して露出する程度の大きさであることが好ましい。具体的には、つまみ操作用開口部１２１ｃの面積を０．３ｃｍ２以上とすると好ましい。しかし、つまみ操作用開口部１２１ｃが大きすぎてしまうと、ロータリスイッチ２１０を十分に保護しきれない虞がある。そのため、つまみ操作用開口部１２１ｃの面積は１．５ｃｍ２以下とすると好ましい。
【００３２】
つまみ操作用開口部１２１ｃの端面１２１ｃ１（ロータリスイッチ保護部１２１の側端面。図６（ｃ）において網掛けハッチングで示した部分。）の形状は、つまみ操作用開口部１２１ｃを通じたつまみ部分２１１の操作を阻害しないものであれば特に限定されないが、第一実施態様の遊技機用基板ケース１００においては、図７に示すように、内向きの傾斜形状となっている。換言すると、ロータリスイッチ保護部の幅Ｗ１がロータリスイッチ保護部の内幅Ｗ３（図７を参照）よりも大きくなるように、つまみ操作用開口部１２１ｃの端面１２１ｃ１が傾斜されている。これにより、つまみ部分２１１のはみ出し幅Ｗ２を小さく保ったまま、つまみ部分２１１への指等による接触を容易にすることが可能になる。
【００３３】
保護キャップ１２０における取り付け基部１２２の形状は、保護部装着用開口部１３０に嵌め込むことができるのであれば特に限定されない。第一実施態様の遊技機用基板ケース１００において、取り付け基部１２２は、図３及び図６（ａ）に示すように、その外周面の四方が保護部装着用開口部１３０に沿うように形成された環状体となっている。ロータリスイッチ基部２１２（図５を参照）は、環状体から成る取り付け基部１２２の中央に配される。
【００３４】
図８は、第一実施態様の遊技機用基板ケース１００におけるロータリスイッチ保護部１２１の周辺を図６（ａ）におけるＢ−Ｂ面に相当する平面で切断した断面図である。取り付け基部１２２の外周面１２２ａは、つまみ部分２１１の中心線に対して平行（ｚ軸に平行）に形成しても良いが、図８に示すように、下側の径が上側の径よりも大きなテーパー形状となるように傾斜させると好ましい。この場合、保護部装着用開口部１３０の内周面１３１も取り付け基部の外周面１２２ａに対応して傾斜させる。これにより、保護キャップ１２０を基板ケース本体部１１０へ装着しやすくすることができ、工場等での組み付け作業の効率を高めることができる。また、保護キャップ１２０を保護部装着用開口部１３０に強固に嵌め込むことも可能になる。
【００３５】
ところで、第一実施態様の遊技機用基板ケース１００においては、図５及び図６に示すように、取り付け基部１２２の裾側の一部を外方へ膨出させて舌状部１２２ｂを設けている。このため、図８に示すように、保護キャップ１２０が基板ケース本体部１１０に装着された状態において、舌状部１２２ｂの上面が、保護部装着用開口部１３０の端縁裏側（基板ケース本体部１１０の裏面）に当接するようになっている。これにより、保護キャップ１２０を基板ケース本体部１１０の下側から装着する際に、保護キャップ１２０が所定の位置よりも上方へ押し込まれてしまうことを防止することができる。また、保護キャップ１２０を上側に引き抜きにくくすることができるため、保護キャップ１２０を外しての不正アクセスを防ぐことも可能になる。この時、取り付け基部１２２の下端が、中継基板２００における負荷がかかっても良い箇所に当接した状態（図８を参照）とすると好ましい。第一実施態様の遊技機用基板ケース１００においては、図５及び図６に示すように、取り付け基部１２２の裾端のうち、ロータリスイッチの端子２１４や、端子１２４から延在するパターン配線（図示省略）等に重なる位置に配線逃がし用凹部１２２ｃを設け、これ以外の部分が中継基板２００に当接するようにしている。これにより、保護キャップ１２０に下向きの外力がかかった際に、ロータリスイッチの端子２１４や、配線（図示省略）等に影響を及ぼすことなく、保護キャップ１２０が下側に脱落しないようにすることが可能になる。
【００３６】
２．２  第二実施態様の遊技機用基板ケース
続いて、第二実施態様の遊技用基板ケースについて説明する。図９は、第二実施態様の遊技機用基板ケース１００を分解した状態を示した斜視図である。図９に示す第二実施態様の遊技機用基板ケース１００は、第一実施態様の遊技機用基板ケース１００と同様、コネクタユニット３４において使用するものとなっており、その基本的な形態は、第一実施態様の遊技機用基板ケース１００と略同一となっている。
【００３７】
ただし、第一実施態様の遊技機用基板ケース１００において、ロータリスイッチ保護部１２１は、図４に示すように、基板ケース本体部１１０とは別体で形成されていたのに対し、第二実施態様の遊技機用基板ケース１００においては、ロータリスイッチ保護部１２１は、図９に示すように、基板ケース本体部１１０と同体で形成されている。これにより、ロータリスイッチ保護部１２１と基板ケース本体部１１０とを一度のプロセスで成型することができ、製造及び組み付けの手間を軽減することができる。これ以外の構成については、第一実施態様の遊技機用基板ケース１００と同じ構成を採用することができる。
【符号の説明】
【００３８】
１０      回胴式遊技機
１０ａ    リール窓
１０ｂ    前扉
１１      メダル投入口
１２      メダル払出口
１３      左リール（リール）
１４      中リール（リール）
１５      右リール（リール）
１６      液晶ディスプレイ
１７      スピーカー
１８      マックスベットボタン
１９      シングルベットボタン
２０      スタートレバー
２１      左リール用ストップボタン（ストップボタン）
２２      中リール用ストップボタン（ストップボタン）
２３      右リール用ストップボタン（ストップボタン）
２４      チャンスボタン
２５      払戻しボタン
３０      メイン制御基板ユニット
３１      サブ制御基板ユニット
３２      液晶ユニット
３３      電源ユニット
３４      コネクタユニット
３５      リールユニット
３６      ホッパーユニット
１００      遊技機用基板ケース
１１０      基板ケース本体部
１１１      上側ケース
１１２      下側ケース
１２０      保護キャップ
１２１      ロータリスイッチ保護部
１２１ａ    上方保護部
１２１ｂ    側方保護部
１２１ｃ    つまみ操作用開口部
１２１ｃ１  端面
１２１ｄ    側縁
１２２      取り付け基部
１２２ａ    外周面
１２２ｂ    舌状部
１２２ｃ    配線逃がし用凹部
１３０      保護部装着用開口部
１３１      内周面
２００      中継基板
２１０      ロータリスイッチ
２１１      つまみ部分
２１２      ロータリスイッチ基部
２１３      調節用目盛
２１４      端子
Ｗ１    ロータリスイッチ保護部の幅
Ｗ２    はみ出し幅
Ｗ３    ロータリスイッチ保護部の内幅
φ１    つまみ部分の直径
【図１】
2017038745.tif 000003
【図２】
2017038745.tif 000004
【図３】
2017038745.tif 000005
【図４】
2017038745.tif 000006
【図５】
2017038745.tif 000007
【図６】
2017038745.tif 000008
【図７】
2017038745.tif 000009
【図８】
2017038745.tif 000010
【図９】
2017038745.tif 000011